(57)【要約】  ディスプレイに順次に表示させる複数の画像の測定を開始してから全ての画像の測定を終了するまでの所要時間を短縮することを目的とする。当該目的を達成するために、画像信号発生装置は、ディスプレイに表示する画像の内容が時間的に変化するように、画像に対応する表示用画像信号を変更しつつ繰り返し生成する表示用画像信号生成部と、表示用画像信号生成部が生成した表示用画像信号をディスプレイに出力するための出力インタフェースと、表示用画像信号生成部が表示用画像信号を変更する変更タイミングに応答して、変更タイミングを通知するための通知信号を生成する通知信号生成部と、を備える。
2017047418.tif 000002
【特許請求の範囲】
【請求項１】
ディスプレイに表示する画像の内容が時間的に変化するように、前記画像に対応する表示用画像信号を変更しつつ繰り返し生成する表示用画像信号生成部と、
前記表示用画像信号生成部が生成した前記表示用画像信号を前記ディスプレイに出力するための出力インタフェースと、
前記表示用画像信号生成部が前記表示用画像信号を変更する変更タイミングに応答して、前記変更タイミングを通知するための通知信号を生成する通知信号生成部と、
を備える画像信号発生装置。
【請求項２】
請求項１に記載の画像信号発生装置と、
前記表示用画像信号を供給されて前記表示用画像信号に対応する画像を表示する前記ディスプレイが放射する光を受光して電気信号に変換する光電変換素子と、
前記光電変換素子が変換した電気信号を取得する光電信号取得部と、
前記通知信号を検出し、前記通知信号に応答して前記光電信号取得部が前記電気信号を取得するように前記光電信号取得部を制御する制御部と、
を備える、ディスプレイ測定装置。
【請求項３】
請求項２に記載のディスプレイ測定装置であって、
前記制御部は、
前記通知信号が生成されてから予め設定された時間が経過したときに前記光電信号取得部が前記電気信号を取得するように前記光電信号取得部を制御する、ディスプレイ測定装置。
【請求項４】
請求項２または請求項３に記載のディスプレイ測定装置であって、
前記画像信号発生装置とは別体のカラーアナライザーを備え、
前記カラーアナライザーは、前記光電信号取得部と前記制御部とを備え、
前記画像信号発生装置は、前記通知信号を外部に出力する出力インタフェースをさらに備え、
前記カラーアナライザーは、前記画像信号発生装置が出力する前記通知信号を入力する入力インタフェースをさらに備える、ディスプレイ測定装置。
【発明の詳細な説明】
【技術分野】
【０００１】
本発明は、ディスプレイの特性を測定するための画像信号を生成する画像信号発生装置、および画像信号発生装置を備えるディスプレイ測定装置に関する。
【背景技術】
【０００２】
特許文献１には、図６のようなディスプレイ測定装置１５００を用いて、図９に示す動作シーケンスに従ってディスプレイ１２００のホワイトバランスを調整するディスプレイ測定システム１７００が開示されている。すなわち、ステップＳ１０００においてはコンピュータ１０００が画像信号発生装置（「ビデオ信号発生器」とも「パターンジェネレーター」とも称する）１１００に対して第１のホワイトバランス調整用画像を出力するように指令する。これにより、画像信号発生装置１１００は第１のホワイトバランス調整用画像をディスプレイ１２００に出力することとなる。第１のホワイトバランス調整用画像は、例えばコンポーネント信号において輝度信号Ｙ値を例えばレンジの１０％程度に抑えた暗い無彩色の画像とされる。従って、ディスプレイ１２００には暗いグレーの画像が映し出されることとなる。以上のようにして、第１のホワイトバランス調整用画像が出力されると、コンピュータ１０００はステップＳ１１００にてカラーアナライザー１３００からの輝度・色度値の入力を受け付ける。例えば、本実施形態では輝度・色度値がＬｖ，ｘ，ｙ値で表されるものとする。【０００３】
ステップＳ１１００にて輝度色度値の入力が受け付けられると、ステップＳ１２００にてコンピュータ１０００が画像信号発生装置１１００に対して第２のホワイトバランス調整用画像を出力するように指令する。すなわち、ステップＳ１０００とステップＳ１２００においては、互いに輝度の異なる第１のホワイトバランス調整用画像と第２のホワイトバランス調整用画像が時分割的に表示させられることとなる。第２のホワイトバランス調整用画像は、輝度信号Ｙ値を例えばレンジの９０％程度に上げた明るい無彩色の画像とされる。従って、ディスプレイ１２００には明るいグレーの画像が映し出されることとなる。第２のホワイトバランス調整用画像が出力されると、コンピュータ１０００はステップＳ１３００にてカラーアナライザー１３００からの輝度・色度値の入力を受け付ける。【０００４】
ステップＳ１３００にて輝度・色度値の入力が受け付けられると、ステップＳ１４００にてコンピュータ１０００が画像信号発生装置１１００に対して第３のホワイトバランス調整用画像を出力するように指令する。第３のホワイトバランス調整用画像は、輝度信号Ｙ値を例えばレンジの５０％程度にした中間輝度の無彩色の画像とされる。従って、ディスプレイ１２００にはグレーの画像が映し出されることとなる。第３のホワイトバランス調整用画像が出力されると、コンピュータ１０００はステップＳ１５００にてカラーアナライザー１３００からの輝度・色度値の入力を受け付ける。以上のようにすることにより、コンピュータ１０００はそれぞれ無彩色かつ輝度が異なる第１〜第３のホワイトバランス調整用画像に対応した輝度・色度値を得ることができる。
【先行技術文献】
【特許文献】
【０００５】
【特許文献１】特開２００８−１４１５８７号公報
【発明の概要】
【発明が解決しようとする課題】
【０００６】
しかしながら、特許文献１の方法では、コンピュータはカラーアナライザーからの輝度・色度値を受け付けてから画像信号発生装置に対してホワイトバランス調整用画像を出力するように指令するので、各々のステップが時系列に繋がってしまい、調整に時間が掛かるといった問題がある。【０００７】
本発明は、こうした問題を解決するためになされたもので、ディスプレイに複数の画像を時間的に順次に表示させて各画像を測定する場合に、画像の測定を開始してから全ての画像の測定を終了するまでの所要時間を短縮できる技術を提供することを目的とする。
【課題を解決するための手段】
【０００８】
上記の課題を解決するために、第１の態様に係る画像信号発生装置は、ディスプレイに表示する画像の内容が時間的に変化するように、前記画像に対応する表示用画像信号を変更しつつ繰り返し生成する表示用画像信号生成部と、前記表示用画像信号生成部が生成した前記表示用画像信号を前記ディスプレイに出力するための出力インタフェースと、前記表示用画像信号生成部が前記表示用画像信号を変更する変更タイミングに応答して、前記変更タイミングを通知するための通知信号を生成する通知信号生成部と、を備える。【０００９】
第２の態様に係るディスプレイ測定装置は、第１の態様に係る画像信号発生装置と、前記表示用画像信号を供給されて前記表示用画像信号に対応する画像を表示する前記ディスプレイが放射する光を受光して電気信号に変換する光電変換素子と、前記光電変換素子が変換した電気信号を取得する光電信号取得部と、前記通知信号を検出し、前記通知信号に応答して前記光電信号取得部が前記電気信号を取得するように前記光電信号取得部を制御する制御部と、を備える。【００１０】
第３の態様に係るディスプレイ測定装置は、第２の態様に係るディスプレイ測定装置であって、前記制御部は、前記通知信号が生成されてから予め設定された時間が経過したときに前記光電信号取得部が前記電気信号を取得するように前記光電信号取得部を制御する。【００１１】
第４の態様に係るディスプレイ測定装置は、第２または第３の態様に係るディスプレイ測定装置であって、前記画像信号発生装置とは別体のカラーアナライザーを備え、前記カラーアナライザーは、前記光電信号取得部と前記制御部とを備え、前記画像信号発生装置は、前記通知信号を外部に出力する出力インタフェースをさらに備え、前記カラーアナライザーは、前記画像信号発生装置が出力する前記通知信号を入力する入力インタフェースをさらに備える。
【発明の効果】
【００１２】
第１の態様に係る発明によれば、表示用画像信号の変更タイミングに応答して、画像信号発生装置の通知信号生成部が当該変更タイミングを通知するための通知信号を生成する。従って、ディスプレイ測定システムが、例えば、当該画像信号発生装置と、カラーアナライザーと、これらを制御するコンピュータとを備える場合において、コンピュータが供給する原画像信号に基づいて、画像信号発生装置がディスプレイでの表示に適した表示用画像信号を生成してディスプレイに出力する場合には、コンピュータが通知信号をカラーアナライザーに出力する必要がない。すなわち、コンピュータがカラーアナライザーの測定動作を制御する必要がない。これにより、コンピュータによる原画像信号の生成処理と、カラーアナライザーによるディスプレイの測定とを並行して行うことができるのでディスプレイが順次に表示する画像の測定をカラーアナライザーが開始してから全ての画像の測定を終了するまでの所要時間を短縮できる。【００１３】
第２の態様に係る発明によれば、通知信号に応答して光電信号取得部が電気信号を取得するように制御部が光電信号取得部を制御するので、例えば、表示用画像信号の元となる原画像信号をコンピュータが画像信号発生装置に供給する場合には、コンピュータは、通知信号を供給する必要がない。従って、光電信号取得部による電気信号の取得と、コンピュータによる原画像信号の生成とを並行して行うことができる。従って、ディスプレイが順次に表示する画像の測定をカラーアナライザーが開始してから全ての画像の測定を終了するまでの所要時間を短縮できる。【００１４】
第３の態様に係る発明によれば、通知信号が生成されてから予め設定された時間が経過したときに光電信号取得部が電気信号を取得するように制御部が光電信号取得部を制御する。従って、設定された時間をディスプレイの液晶の表示特性が安定する時間に設定すれば、ディスプレイの特性の測定値を安定させることができる。
【図面の簡単な説明】
【００１５】
【図１】実施形態に係るディスプレイ測定装置を備えるディスプレイ測定システムを用いてディスプレイの特性を測定する様子を説明するための図である。
【図２】図１のディスプレイ測定システムの構成の一例を示すブロック図である。
【図３】図１のディスプレイ測定システムの動作シーケンスの一例を示す図である。
【図４】図１のディスプレイ測定システムの動作シーケンスの他の例を示す図である。
【図５】図１の画像信号発生装置が表示用画像信号と通知信号を生成する動作を説明するための図である。
【図６】従来技術に係るディスプレイ測定装置を備えるディスプレイ測定システムを用いてディスプレイの特性を測定する様子を説明するための図である。
【図７】図６のディスプレイ測定システムの構成を示すブロック図である。
【図８】図６のディスプレイ測定システムの動作シーケンスを示す図である。
【図９】図６のディスプレイ測定システムを用いて行うホワイトバランス調整の動作シーケンスを示すフローチャートである。
【発明を実施するための形態】
【００１６】
以下、図面を参照しながら、実施の形態について説明する。以下の実施の形態は、本発明を具体化した一例であり、本発明の技術的範囲を限定する事例ではない。図面では同様な構成および機能を有する部分に同じ符号が付され、下記説明では重複説明が省略される。
【００１７】
＜実施形態に係るディスプレイ測定装置の構成＞
図１は、実施形態に係るディスプレイ測定装置５００を備えるディスプレイ測定システム７００を用いてディスプレイ１２０の特性を測定する様子を説明するための図である。図２は、ディスプレイ測定システム７００の構成の一例を示すブロック図である。
【００１８】
ディスプレイ測定システム７００は、ディスプレイ測定装置５００と、ディスプレイ測定装置５００を統括制御するコンピュータ１００とを備えて構成される。ディスプレイ測定装置５００は、画像信号発生装置１１０と、カラーアナライザー１３０とを備える。画像信号発生装置１１０とカラーアナライザー１３０とは、互いに別体の機器である。画像信号発生装置１１０とカラーアナライザー１３０とが一体に構成されてもよい。
【００１９】
ディスプレイ測定システム７００は、システムコントロール用のコンピュータ１００と画像信号発生装置（「パターンジェネレーター」）１１０とを用いて、被測定物であるディスプレイ１２０の表示内容を変更しながら、カラーアナライザー（「測定器」）１３０でその表示内容を測定する。これにより、ディスプレイ１２０の特性が評価される。ディスプレイ測定システム７００は、例えば、測定結果に基づいてディスプレイ１２０のホワイトバランスの調整を行う。
【００２０】
コンピュータ１００はディスプレイ測定システム７００をコントロールするシステムコントロール部１０２と、例えば、ホワイトバランス調整に用いられる原画像信号ｇ１を生成する原画像信号生成部１０４とを備える。コンピュータ１００は原画像信号生成部１０４が生成した原画像信号ｇ１を出力する出力部（図示省略）をさらに備え、原画像信号ｇ１をディスプレイ測定装置５００の画像信号発生装置１１０に供給する。当該出力部は、例えば、ＨＤＭＩ(登録商標）出力ポートによって構成される。原画像信号生成部１０４は、例えば、コンピュータ１００のＣＰＵが所定のプログラムを実行して、各画像の定義情報に基づいて各画像の各画素値を生成し、画像メモリに格納することなどによって実現される。
【００２１】
画像信号発生装置１１０は、コンピュータ１００から出力された原画像信号ｇ１を入力する入力部（図示省略）と、表示用画像信号生成部１１２と、出力インタフェース１１４と、通知信号生成部１１６とを備える。当該入力部は、例えば、ＨＤＭＩ入力ポート（図示省略）によって構成される。
【００２２】
表示用画像信号生成部１１２は、ディスプレイ（「ディスプレイパネル」）１２０に表示する画像の内容が時間的に変化するように、当該画像に対応する表示用画像信号ｇ２を変更しつつ表示用画像信号ｇ２を繰り返し生成する。表示用画像信号生成部１１２は、例えば、入力部に入力された原画像信号ｇ１を一時的に格納するメモリと、当該メモリに格納された原画像信号ｇ１をディスプレイ１２０の表示サイズに応じた表示用画像信号ｇ２に整形する信号整形部（図示省略）と、繰り返し生成される表示用画像信号ｇ２を交互に格納する画像メモリＭ１、Ｍ２（図５）とを備えて構成される。信号整形部は、原画像信号ｇ１からディスプレイ１２０の表示サイズに応じた画像に対応する信号を切り出して（抽出して）表示用画像信号ｇ２を生成する。信号整形部は、例えば、画像信号発生装置１１０のＣＰＵが、画像の切り出しを行う所定のプログラムを実行することによって実現される。なお、信号整形部と通知信号生成部１１６の動作に関しては後に詳述する。
【００２３】
出力インタフェース１１４は、表示用画像信号生成部１１２が生成した表示用画像信号ｇ２を出力する。出力された表示用画像信号ｇ２は検査対象のディスプレイ１２０に入力される。ディスプレイ１２０には、表示用画像信号ｇ２に対応したホワイトバランス調整用画像が映し出される。出力インタフェース１１４は、例えば、所定の規格に則った出力端子によって構成される。
【００２４】
通知信号生成部１１６は、表示用画像信号生成部１１２が表示用画像信号ｇ２を変更する変更タイミングに応答して、当該変更タイミングを通知するための通知信号ｓ１を生成する。通知信号生成部１１６は、画像メモリＭ１、Ｍ２にそれぞれ格納されている表示用画像信号ｇ２が、互いに異なることを検出することによって通知信号ｓ１を生成する。通知信号ｓ１は、例えば、１つのパルスを有する信号である。通知信号ｓ１は、ディスプレイ１２０が表示する画像の測定をカラーアナライザー１３０に開始させるトリガー信号である。通知信号生成部１１６は、例えば、比較回路や、通知信号生成部１１６に搭載されたＣＰＵが所定のプログラムを実行することによって実現される。
【００２５】
画像信号発生装置１１０は、通知信号ｓ１を外部に出力する通知信号出力インタフェース（「出力インタフェース」とも称する）１１８をさらに備える。通知信号出力インタフェース１１８は、例えば、出力ポートによって構成される。通知信号出力インタフェース１１８から出力された通知信号ｓ１はカラーアナライザー１３０の通知信号入力インタフェース１３６に入力される。
【００２６】
カラーアナライザー１３０は、光学センサー部１３０Ａと、測定装置本体１３０Ｂとを備える。光学センサー部１３０Ａは、光電変換素子１３２を備え、測定装置本体１３０Ｂは、光電信号取得部１３４と、通知信号入力インタフェース（「入力インタフェース」とも称する）１３６と、制御部１３８とを備える。
【００２７】
光電変換素子１３２は、表示用画像信号ｇ２に対応する画像を表示するディスプレイ１２０が放射する光を受光して電気信号ｅ１に変換する。光電信号取得部１３４は、光電変換素子１３２が変換した電気信号ｅ１を取得する。光電変換素子１３２は、例えば、三刺激値ＸＹＺの各フィルターを通過した光を受光する３つのフォトセルなどによって構成される。制御部１３８は、通知信号ｓ１を検出し、通知信号ｓ１に応答して光電信号取得部１３４が電気信号ｅ１を取得するように光電信号取得部１３４を制御する。当該制御において、制御部１３８は、通知信号ｓ１が生成されてから予め設定された時間が経過したときに光電信号取得部１３４が電気信号ｅ１を取得するように光電信号取得部１３４を制御する。光電信号取得部１３４、制御部１３８は、例えば、カラーアナライザー１３０のＣＰＵが、所定のプログラムを実行することによって、それぞれ実現される。
【００２８】
通知信号入力インタフェース１３６は、画像信号発生装置１１０が出力する通知信号ｓ１を入力する。通知信号入力インタフェース１３６は、例えば、入力ポートなどによって構成される。
【００２９】
カラーアナライザー１３０は、さらに光電信号取得部１３４が取得した電気信号ｅ１から輝度・色度値を演算する演算部（図示省略）、当該演算部が演算した輝度・色度値を格納するメモリ等の格納部（図示省略）を有する。コンピュータ１００のシステムコントロール部１０２が、カラーアナライザー１３０の制御部１３８に測定値を出力させる出力コマンドを送信すると、カラーアナライザー１３０の制御部１３８は格納部に格納されている輝度・色度値をコンピュータ１００に対して出力する。
【００３０】
次に、画像信号発生装置１１０の信号整形部および通知信号生成部１１６に関して詳述する。図５は、画像信号発生装置１１０が表示用画像信号ｇ２と通知信号ｓ１を生成する動作を説明するための図である。コンピュータ１００は画像信号発生装置１１０をセカンダリモニタとして認識し、原画像信号生成部１０４で生成した原画像信号ｇ１をＨＤＭＩ規格に則って画像信号発生装置１１０に出力する。
【００３１】
画像信号発生装置１１０は、その入力部に入力された原画像信号ｇ１を、信号整形部でディスプレイ１２０の表示サイズに切り出して表示用画像信号ｇ２を生成する。表示用画像信号ｇ２は、原画像信号ｇ１を整形することにより生成されている。画像信号発生装置１１０は、表示用画像信号生成部１１２が生成した表示用画像信号ｇ２を画像メモリＭ１に格納する。原画像信号ｇ１は、例えば、ＮＴＳＣ方式に則って生成されているので、６０Ｈｚに同期したタイミングで次の原画像信号ｇ１が入力されてくる。
【００３２】
画像信号発生装置１１０の表示用画像信号生成部１１２は、新たに入力された原画像信号ｇ１を信号整形部でディスプレイ１２０の表示サイズに切り出して新たな表示用画像信号ｇ２を生成し、画像メモリＭ２に格納する。一方、出力インタフェース１１４も６０Ｈｚに同期したタイミングで画像メモリＭ１、Ｍ２から交互にディスプレイ１２０に表示用画像信号ｇ２を出力する。
【００３３】
出力インタフェース１１４が画像メモリＭ１から表示用画像信号ｇ２をディスプレイ１２０に出力した後、次に入力されてくる原画像信号ｇ１を信号整形部がディスプレイ１２０の表示サイズに切り出して、新たな表示用画像信号ｇ２として画像メモリＭ１に格納する。また、出力インタフェース１１４が画像メモリＭ２から表示用画像信号ｇ２をディスプレイ１２０に出力した後、次に入力されてくる原画像信号ｇ１を信号整形部がディスプレイ１２０の表示サイズに切り出して、新たな表示用画像信号ｇ２として画像メモリＭ２に格納する。
【００３４】
つまり、信号整形部は、表示用画像信号ｇ２を画像メモリＭ１と画像メモリＭ２に常に交互に格納し、出力インタフェース１１４は、整形後の表示用画像信号ｇ２を画像メモリＭ１と画像メモリＭ２から常に交互にディスプレイ１２０に出力する。このように、画像メモリを２個有し、常に交互に格納，出力を行うようにしているのは、読出し最中に書込みが発生することで同じ領域に同時にアクセスして画像が乱れたりする不具合が発生しないようにするためである。
【００３５】
通知信号生成部１１６は画像メモリＭ１と画像メモリＭ２に格納される表示用画像信号ｇ２を常に監視している。具体的には、画像メモリＭ１と画像メモリＭ２に格納される表示用画像信号ｇ２のうち各画像メモリの１画素目の画素ｐ１、ｑ１のそれぞれのＲＧＢ値を常に比較していて、画素ｐ１、ｑ１間でＲＧＢ値に変化があれば通知信号ｓ１を生成する。例えば、画像メモリＭ１に格納されている表示用画像信号ｇ２の１画素目がＲＧＢ（２５５，２５５，２５５)である時、画像メモリＭ２の１画素目にＲＧＢ（２５５，２５５，２５５)の画像信号が格納されてきた場合は通知信号ｓ１を生成しないが、ＲＧＢ（１２０，１２０，１２０)の表示用画像信号ｇ２が格納されてきた場合は通知信号ｓ１を生成する。なお、本実施例では画像メモリＭ１、Ｍ２の１画素目のＲＧＢ値の変化で表示用画像信号ｇ２に対応する画像の明るさや色の変化を検出したが、検出の方法は本実施例の方法に限らず、表示用画像信号ｇ２がディスプレイ１２０に出力される直前のタイミングで表示用画像信号ｇ２に対応する画像の明るさや色の変化を検出できる方法であればよい。
【００３６】
＜実施形態に係るディスプレイ測定装置の測定シーケンス＞
図３は、ディスプレイ測定システム７００の動作シーケンスの一例を示す図である。ディスプレイ測定システム７００がディスプレイ１２０の測定を開始すると、先ず、コンピュータ１００が第１の原画像信号ｇ１を生成し（動作Ａ）、原画像信号ｇ１を出力する。この間に数十ｍｓの時間ｔ１が必要である。時間ｔ１は、例えば、４５ｍｓである。
【００３７】
次に、画像信号発生装置１１０の表示用画像信号生成部１１２の信号整形部が、入力された第１の原画像信号ｇ１をディスプレイ１２０の表示サイズに切り出して第１の表示用画像信号ｇ２を生成する。表示用画像信号生成部１１２は、表示用画像信号ｇ２を生成した後、画像メモリＭ１に、一旦、格納し（動作Ｂ）、出力インタフェース１１４からディスプレイ１２０に出力する。この間にさらに数十ｍｓの時間ｔ２が必要である。時間ｔ２は、例えば、３５ｍｓである。
【００３８】
次に第１の表示用画像信号ｇ２が検査されるディスプレイ１２０に入力され、ディスプレイ１２０には第１の表示用画像信号ｇ２に対応した画像が映し出される（動作Ｄ）。ディスプレイ１２０は液晶で構成されており、その特性上、映し出された画像の輝度・色度が安定するまでに数十ｍｓの時間ｔ３が掛かる。時間ｔ３は、例えば、７０ｍｓである。
【００３９】
一方、通知信号生成部１１６は、画像メモリＭ１、Ｍ２に格納される表示用画像信号ｇ２を常に監視しており、画像メモリＭ１に格納された第１の表示用画像信号ｇ２の１画素目のＲＧＢ値が画像メモリＭ２に既に格納されている表示用画像信号ｇ２の１画素目のＲＧＢ値と異なっていれば通知信号ｓ１を出力する（ハッチが附された逆三角形の先端は、通知信号ｓ１の出力タイミングを示す）。なお、画像メモリＭ１と画像メモリＭ２には初期値としてＲＧＢ(０，０，０)の画像信号が格納されている。そして、通知信号出力インタフェース１１８から出力された通知信号ｓ１はカラーアナライザー１３０の通知信号入力インタフェース１３６に入力される。
【００４０】
通知信号ｓ１が通知信号入力インタフェース１３６に入力されると、カラーアナライザー１３０の制御部１３８は、前述の液晶の安定待ち（動作Ｃ）を行った後に、予め定められたタイミング（例えば、液晶の安定化に要する時間ｔ３が経過した直後のタイミング）で、光電信号取得部１３４に光電変換素子１３２が変換した電気信号ｅ１を取得させる（動作Ｅ）。この取得動作は、例えば、カラーアナライザー１３０の制御部１３８が通知信号ｓ１を検出した後、制御部１３８が、タイマを用いて時間ｔ３の経過を待った後に光電変換素子１３２に対して電気信号ｅ１を取得させることによって行われる。
【００４１】
制御部１３８は、光電信号取得部１３４が取得した電気信号ｅ１に対して所定の演算を行うことによって、ディスプレイ１２０に表示された画像の輝度・色度値を取得する。制御部１３８は、取得した輝度・色度値を格納用のメモリに格納する。
【００４２】
他方、コンピュータのシステムコントロール部１０２は、第１の原画像信号ｇ１を出力した後、あらかじめ定められた時間の経過後に第２の原画像信号ｇ１の生成（動作Ａ）を開始する。すなわち、システムコントロール部１０２は、原画像信号ｇ１を切り替える。このタイミングはシーケンス内の時刻的には、液晶の安定待ちを行っている時間ｔ３内に位置する（白抜きの逆三角形の先端は、原画像信号ｇ１の切り替えのタイミングを示す）。
【００４３】
前述の液晶の安定待ち（動作Ｃ）と、電気信号ｅ１の取得（動作Ｅ）とは、信頼性の高い測定値を得る観点から、並行して行うことができず、かつ、何れも必須の動作である。そこで、ディスプレイ測定システム７００では、好ましくは、図３に示されるように、動作Ｃと動作Ｅとを、時間を空けずに交互に連続して行えるように、コンピュータ１００が原画像信号ｇ１の切り替えを行う。これにより、時間的に順次にディスプレイ１２０に表示される複数の画像の測定に要する時間を最小化できる。なお、安定した測定を行うために、動作Ｃと動作Ｅとの間に、ある程度の時間を隔ててもよい。
【００４４】
その後同様の動作が繰り返され、各表示用画像信号ｇ２に対応する各画像の測定が全て完了した後、コンピュータ１００のシステムコントロール部１０２が、カラーアナライザー１３０の制御部１３８に測定値出力コマンドを送信すると、制御部１３８は格納部に格納されている輝度・色度値をコンピュータ１００に対して出力する。
【００４５】
なお、この輝度・色度値のコンピュータ１００への出力は、各々の表示用画像信号ｇ２に対応する各画像の測定が終了する毎に、カラーアナライザー１３０が測定完了を示す信号をコンピュータ１００のシステムコントロール部１０２に返す動作に引き続いて、時間的に順次に行われても良い。この動作シーケンスは、図４に示されている。
【００４６】
図４は、ディスプレイ測定システム７００の動作シーケンスの他の例を示す図である。図３に示される動作シーケンスにおいて、ディスプレイ測定システム７００は、カラーアナライザー１３０が調整用にディスプレイ１２０に時間的に順次に表示される複数の画像の測定を終了した後に、コンピュータ１００がカラーアナライザー１３０から全ての測定結果を取得していた。これに対して、図４に示される動作シーケンスにおいては、測定結果の転送動作Ｆが、カラーアナライザー１３０による１つの画像の測定動作Ｅが完了した後、コンピュータ１００が次の原画像信号ｇ１を生成する動作Ａを開始するまでの時間ｔ４において行われる。これによって、コンピュータ１００は、図３に示される動作シーケンスと同じ時間間隔で各原画像信号ｇ１を画像信号発生装置１１０に出力するとともに、カラーアナライザー１３０がディスプレイ１２０の測定を行うことができる。
【００４７】
なお、ディスプレイ測定システム７００ではコンピュータ１００が原画像信号ｇ１を生成する原画像信号生成部１０４を備えるが、例えば、画像信号発生装置１１０が、原画像信号生成部１０４を備えるとともに、コンピュータ１００のシステムコントロール部１０２が画像信号発生装置１１０に対して原画像信号ｇ１を生成させるコマンドを送信するようにしてもよい。
【００４８】
また、ディスプレイ測定システム７００に関する上記の説明ではホワイトバランス調整を例に示したが、Ｒ、Ｇ、Ｂの各々の単色画像をディスプレイに表示して、各々単色の調整を行ってもよい。
【００４９】
また、カラーアナライザー１３０にフリッカー測定機能が備わっている場合は、フリッカー検査に本実施例の方法を用いても良い。フリッカー検査の場合には、例えば、千鳥格子状の複数の画像をディスプレイ１２０に時間的に順次に表示して、各画像の格子を光学センサー部１３０Ａで測定し、測定装置本体１３０Ｂで得た輝度の測定値の時間的な変動に基づいてフリッカーを測定する。従って、画像信号発生装置１１０の通知信号生成部１１６は、画像メモリＭ１、Ｍ２に格納された表示用画像信号ｇ２のうちで、格子部分以外の同一アドレスの画素同士の信号値を比較することによって、通知信号ｓ１を生成することができる。
【００５０】
＜従来技術との相違点＞
実施形態に係るディスプレイ測定システム７００(ディスプレイ測定装置５００)と、従来技術に係るディスプレイ測定システム１７００（ディスプレイ測定装置１５００）との相違点について説明する。
【００５１】
図７は、従来技術に係るディスプレイ測定システム１７００の構成を示すブロック図である。図８は、ディスプレイ測定システム１７００の動作シーケンスを示す図である。
【００５２】
図２に示されるように、ディスプレイ測定システム７００では、通知信号ｓ１を生成する通知信号生成部１１６と、通知信号ｓ１を出力する通知信号出力インタフェース１１８とを画像信号発生装置１１０が備えている。これにより、ディスプレイ測定システム７００では、画像信号発生装置１１０が、カラーアナライザー１３０に測定を開始させるトリガー信号としての通知信号ｓ１を、通知信号入力インタフェース１３６を介してカラーアナライザー１３０に供給する。
【００５３】
これに対して、図７に示されるように、ディスプレイ測定システム１７００では、画像信号発生装置１１００が、通知信号生成部１１６および通知信号出力インタフェース１１８に相当する構成を備えていない。ディスプレイ測定システム１７００では、コンピュータ１０００のシステムコントロール部１００２が、カラーアナライザー１３００に測定を開始させる測定コマンドｓ２を、コマンド入力インタフェース１３０６を介してカラーアナライザー１３００に供給する。
【００５４】
このように、従来技術に係るディスプレイ測定システム１７００ではコンピュータ１０００がカラーアナライザー１３００の測定動作（カラーアナライザー１３００がディスプレイ１２０の輝度・色度値を取得する動作）の制御と、原画像信号ｇ１の生成及び出力（切り替え）との両方を行っている。このため、コンピュータ１０００は、任意のタイミングで原画像信号ｇ１の生成、出力を行うことができない。従って、コンピュータ１０００は、図８に示されるように、カラーアナライザー１３００による測定が終了した後に、原画像信号ｇ１を切り替える。
【００５５】
しかしながら、実施形態に係るディスプレイ測定システム７００では、コンピュータ１００はカラーアナライザー１３０がディスプレイ１２０の輝度・色度値を取得する動作の制御を行わない。これにより、ディスプレイ測定システム７００では、コンピュータ１００が任意のタイミングでホワイトバランス調整用の原画像信号ｇ１の生成、出力を行うことができる。従って、ディスプレイ測定システム７００は、従来技術に係るディスプレイ測定システム１７００よりも早いタイミングで原画像信号ｇ１の生成、出力を行うことによって、調整のためにディスプレイ１２０に表示される各画像の測定間隔（各画像間の表示間隔）を短縮することができる。すなわち、ディスプレイ測定システム７００では、ディスプレイ測定システム１７００に比べてディスプレイ１２０の検査時間の短縮を実現することができる。
【００５６】
以上のように構成された本実施形態に係る画像信号発生装置１１０によれば、表示用画像信号ｇ２の変更タイミングに応答して、画像信号発生装置１１０の通知信号生成部１１６が当該変更タイミングを通知するための通知信号ｓ１を生成する。従って、ディスプレイ測定システム７００が、例えば、画像信号発生装置１１０と、カラーアナライザー１３０と、これらを制御するコンピュータ１００とを備える場合において、コンピュータ１００が供給する原画像信号ｇ１に基づいて、画像信号発生装置１１０がディスプレイ１２０での表示に適した表示用画像信号ｇ２を生成してディスプレイ１２０に出力する場合には、コンピュータ１００が通知信号ｓ１をカラーアナライザー１３０に出力する必要がない。すなわち、コンピュータ１００がカラーアナライザー１３０の測定動作を制御する必要がない。これにより、コンピュータ１００による原画像信号ｇ１の生成処理と、カラーアナライザー１３０によるディスプレイ１２０の測定とを並行して行うことができるのでディスプレイ１２０が順次に表示する画像の測定をカラーアナライザー１３０が開始してから全ての画像の測定を終了するまでの所要時間を短縮できる。
【００５７】
また、以上のように構成された本実施形態に係るディスプレイ測定装置５００によれば、通知信号ｓ１に応答して光電信号取得部１３４が電気信号ｅ１を取得するように制御部１３８が光電信号取得部１３４を制御するので、例えば、表示用画像信号ｇ２の元となる原画像信号ｇ１をコンピュータ１００が画像信号発生装置１１０に供給する場合には、コンピュータ１００は、通知信号ｓ１を供給する必要がない。従って、光電信号取得部１３４による電気信号ｅ１の取得と、コンピュータ１００による原画像信号ｇ１の生成とを並行して行うことができる。従って、ディスプレイ１２０が順次に表示する画像の測定をカラーアナライザー１３０が開始してから全ての画像の測定を終了するまでの所要時間を短縮できる。
【００５８】
また、以上のように構成された本実施形態に係るディスプレイ測定装置５００によれば、通知信号ｓ１が生成されてから予め設定された時間ｔ３が経過したときに光電信号取得部１３４が電気信号ｅ１を取得するように制御部１３８が光電信号取得部１３４を制御する。従って、時間ｔ３をディスプレイ１２０の液晶の表示特性が安定する時間に設定すれば、ディスプレイ１２０の特性の測定値を安定させることができる。
【００５９】
本発明は詳細に示され記述されたが、上記の記述は全ての態様において例示であって限定的ではない。したがって、本発明は、その発明の範囲内において、実施の形態を適宜、変形、省略することが可能である。
【符号の説明】
【００６０】
５００  ディスプレイ測定装置
７００  ディスプレイ測定システム
１００  コンピュータ
１０２  システムコントロール部
１０４  原画像信号生成部
１１０  画像信号発生装置
１１２  表示用画像信号生成部
１１４  出力インタフェース
１１６  通知信号生成部
１１８  通知信号出力インタフェース（出力インタフェース）
１２０  ディスプレイ
１３０  カラーアナライザー
１３０Ａ  光学センサー部
１３０Ｂ  測定装置本体
１３２  光電変換素子
１３４  光電信号取得部
１３６  通知信号入力インタフェース（入力インタフェース）
１３８  制御部
ｇ１  原画像信号
ｇ２  表示用画像信号
ｓ１  通知信号
【図１】
2017047418.tif 000003
【図２】
2017047418.tif 000004
【図３】
2017047418.tif 000005
【図４】
2017047418.tif 000006
【図５】
2017047418.tif 000007
【図６】
2017047418.tif 000008
【図７】
2017047418.tif 000009
【図８】
2017047418.tif 000010
【図９】
2017047418.tif 000011
【国際調査報告】
2017047418.tif 000012
2017047418.tif 000013
2017047418.tif 000014
2017047418.tif 000015